(57)【要約】【課題】  本発明は農業資材に穴を開けることなく土壌に固定することができるようにしたものであり、幅広の資材であってもこれを溜めて押えることができる農業資材の新しい固定用の部材を提供するものである。【解決手段】  土中へ差し込むジグザグ形状をなす支柱部と、当該支柱部の頂部より伸びる横桟部と、この横桟部の先端より垂下し土中に刺さる資材押え部と、からなることを特徴とする農業資材の引っ掛けクランプ。Ａ‥引っ掛けクランプ、１‥支柱部、１ａ‥支柱部のジグザグ状部、２‥横桟部、３‥押え部、３ａ‥押え部の先端、３ａａ‥押え部の先端の環状部、１０‥土壌、１１‥畝、２０‥ベタ掛け資材、２０ａ‥ベタ掛け資材の幅端部、２０ｂ‥ベタ掛け資材の押え部、２０ｃ‥ベタ掛け資材の幅端の余り部。【選択図】図３
2006230319.tif 000002
【特許請求の範囲】
【請求項１】
土中へ差し込む支柱部と、当該支柱部の頂部より伸びる横桟部と、この横桟部の先端より垂下し土中に刺さる資材押え部と、からなることを特徴とする農業資材の引っ掛けクランプ。
【請求項２】
支柱部がジグザグ形状をなす請求項１記載の農業資材の引っ掛けクランプ。
【請求項３】
引っ掛けクランプが金属製棒状体で形成された請求項１又は２記載の農業資材の引っ掛けクランプ。
【請求項４】
資材押え部が環状部をなしている請求項３記載の農業資材の引っ掛けクランプ。
【請求項５】
引っ掛けクランプが樹脂で形成された請求項１又は２記載の農業資材の引っ掛けクランプ。
【発明の詳細な説明】
【技術分野】
【０００１】
本発明は、農業資材である織布或いは不織布等のベタ掛けやトンネル資材の固定のために用いられる固定部材に関するものである。
【背景技術】
【０００２】
以下、本発明をベタ掛け資材を例にとって説明すると、土壌を耕して種を巻いたり苗を植えたりする際、風雨からこれらを守るために、或いは土壌の温度の低温化を防ぎ、土壌からの水分の蒸発を阻止したり、雑草の生育を防ぐ目的で土壌の表面に織布或いは不織布等のいわゆるベタ掛け資材を敷設することが行われている。かかるベタ掛け資材はその裾部を固定する必要があり、一般にはベタ掛け資材を突き破って土中に差し込む突き刺し部材が用いられている。この突き刺し部材の例を図７に示すが、逆Ｕ字形状をなす金属製の部材ＣやＴ字形状をなす樹脂製の部材Ｄがある。
【０００３】
これらはいずれも固定部材の先端にてベタ掛け資材を突き破り、土中に差し込んで使用される。しかるに、ベタ掛け資材の固定はこの資材に開けられた穴とこれを突き破った支柱部との接触によるものであり、その固定力は弱く、強風等によってベタ掛け資材が飛ばされたり、破れてしまうことになる。又、ベタ掛け資材の位置を調整する際には、通常は新たな穴が開けられることとなり、資材が弱いものとなるだけでなく、使わなくなった穴より害虫が侵入してしまうという欠点もあった。
【０００４】
このように、穴が開けられてしまったベタ掛け資材再利用されても新たな問題が発生しやすく、比較的短期に廃棄されてしまうものであった。ベタ掛け資材以外の織布や不織布の農業資材の場合にも同様の突き刺し部材が用いられるものであり、これらも再利用されても、多くの穴が開けられてしまったものは強度的に弱く、害虫の侵入もあり、望ましいものとは言えなかった。
【発明の開示】
【発明が解決しようとする課題】
【０００５】
本発明は以上のような従来の農業資材を固定する部材の欠点に鑑みてなされたものであり、資材に穴を開けることなく固定が可能としたものであり、幅広の資材であってもこれを溜めて押えることができる農業資材の新しい固定用の部材を提供するものである。
【課題を解決するための手段】
【０００６】
本発明の要旨は、土中へ差し込む支柱部と、当該支柱部の頂部より伸びる横桟部と、この横桟部の先端より垂下し土中に刺さる資材押え部と、からなることを特徴とする農業資材の固定部材（引っ掛けクランプ）である。そして、好ましくは支柱部がジグザグ形状をなすものである。
【発明の効果】
【０００７】
本発明は以上の構成を有するものであり、支柱部は農業資材に穴を開けることなく土中に差し込まれ、資材押え部にて資材を押えて土中に差し込まれて固定することができたものであり、更に横桟部にて資材を土の表面に押え込むこととなり、更に又、幅広の資材であっても余分な部位をここに集めることによって資材を有効に使用し、固定することができることとなったものである。
【発明を実施するための最良の形態】
【０００８】
本発明は土壌の表面を覆い、或いは野菜の表面を覆うために用いられる織布或いは不織布、更に樹脂フィルム等の農業資材の固定のために用いられる部材であって、この引っ掛けクランプは、土中へ差し込む支柱部と、当該支柱部の頂部より伸びる横桟部と、この横桟部の先端より垂下し土中に刺さる資材押え部と、からなる構造を持つものである。かかる引っ掛けクランプは金属製或いは樹脂製のいずれでも適用可能である。
【０００９】
尚、本発明の引っ掛けクランプにあってその変形は種々考えられる。例えば、押え部の先端を横に広げた構造、押え部の先端を連結し、この連結部を広範囲の押え部とした構造、一本の支柱部に対して複数の横桟部及び押え部を備えることも可能である。
【００１０】
支柱部について述べれば、農業資材に穴を開けることなく土中に差し込まれる部位である。かかる支柱部は資材を直接固定するためのものではなく、固定部材そのものはこの支柱部が土壌中に差し込まれて支持されることになる。このため、支柱部には土中からの抜け出しを防止するための機構が施されているのがよく、例えば、表面がストレ−トでないものが好ましく、ジグザグ状に或いは窪みや凸部を形成したものが望ましい。
【００１１】
横桟部は上記の支柱部の頂部より横方向に伸びる桟部であり、支柱が土中に差し込まれた際には、常態として土の表面に露呈するものであり、資材の左右の余った部位をここに収容して押えつける構成となる。尚、固定部材が引き抜かれる際には、この横桟部をもって引き抜かれることとなる。このため、横桟部に引き抜きに供するための把手や段部等を備えてもよい。かかる横桟部も資材を押えやすくするため、ある程度の幅をもったり、ジグザグ状とするものもある。
【００１２】
資材押え部はこの横桟部の先端より垂下し土中に刺さる部位であり、資材をこの押え部の先端で引っ掛けつつ土中に差し込まれるものである。即ち、かかる押え部はその先端で資材に穴を開けることなく土中にてこれを押え込むものである。勿論、この押え部は支持部が土中に差し込まれると一緒に土中にて資材を押えつつ差し込まれることとなる。尚、金属製の棒状タイプの引っ掛けクランプにあっては、資材押え部の先端はこの棒状体が丸められて環状部とし、資材を突き破らないようにするのが好ましい。又、樹脂製のものにあっては、押え部の先端を雨滴状に丸く膨出させたものがその一例である。更に、これらの資材押え部の先端に円弧状の或いは平らな面を持つキャップを嵌め込んだものでもよいことは言うまでもない。
【実施例】
【００１３】
以下実施例をもって更に詳細に説明する。図１は本発明の引っ掛けクランプＡの斜視図であり、これは金属製の棒状体よりなっており、これを折り曲げて支柱部１と横桟部２と押え部３とを構成している。これらの長さを任意に設定できるが、支柱部１は２５〜３５ｃｍ、横桟部２は４〜７ｃｍ、押え部３は２〜５ｃｍである。尚、この例では、順に３０ｃｍ、５ｃｍ、３ｃｍである。
【００１４】
そして、支柱部２には土中に差し込まれる部位の一部をジグザグ状（１ａ）に折り曲げたものであり、これによって差し込まれた支柱部が土中より抜けてしまうのを防止し、かつ、支柱部が外力によって回転してしまうのを阻止するものである。
【００１５】
押え部３の先端（３ａ）によって農業資材が押えつけられることになるが、この資材に突き刺さらないようにその先端３ａは環状３ａａに曲げられている。
【００１６】
図２は本発明の引っ掛けクランプＡの使用時の状態を示す平面図であり、図３はその縦断面図である。図中、１０は土壌であり、２０はベタ掛け資材を示す。即ち、畝１１上に紙面の表裏に向けて長尺のベタ掛け資材２０を覆い、幅端を本発明の引っ掛けクランプＡにて固定したものである。引っ掛けクランプＡにあって、ベタ掛け資材２０の幅端（２０ａ）よりもやや外側に支柱部１を突き刺し、畝１１上のベタ掛け資材２０にしわが寄らないように幅方向の左右端部よりやや内側（２０ｂ）に押え部３を接触させ、この状態で更に支柱部１を土中に差し込むものである。押え部３にあっては、ベタ掛け資材２０に接触しつつ土中に差し込まれることになり、これによってベタ掛け資材２０が完全に固定されることになる。しかも、支柱部１にはジグザグ部１ａが形成されていることから抜けがなく、かつ支柱部１が回転することもないため、ベタ掛け資材２０の固定は完全である。
【００１７】
ベタ掛け資材２０にあっては、横桟部２に包まれた状態で余りの部分２０ｃが土の表面に押え込まれることとなるため、ベタ掛け資材２０のどこにも穴が開けられずに固定することとなったものである。そして、ベタ掛け資材２０の横桟部２にて包まれた部位２０ｃは必要に応じて順次引き出すことができるため、特に植物の成長に応じて伸びが要求される資材にあっては好適な固定部材となったものである。
【００１８】
図４は本発明の変形例１を示すもので、主として樹脂製の引っ掛けクランプＢに適用できるものであり、支柱部１には左右に窪み１ｂを左右に千鳥状に形成した例であり、更には、支柱部１の長手方向に太い部位１ｃａと細い部位１ｃｂとを交互に形成してなる例である。いずれも土中に差し込まれて、外力によって抜けが阻止されるものである。
【００１９】
図５は本発明の変形例２を示すものであり、横桟部２はベタ掛け資材２０の余りの部分２０ｃを押える部位ではあるが、引っ掛けクランプＡを引き抜く際にもこの部位を持って引き抜かれるため、引き抜きのために上方に湾曲２ａａしていたり、その一部が湾曲２ａｂしていたり、更には、環状部２ａｃを形成されていたりすることがある。
【００２０】
図６は本発明の変形例３を示すものであり、押え部３の先端３ａは農業資材を押える必要があることから、上記の例の他、横又は縦方向に平坦状３ａｂに折り曲げられた場合も含まれるものである。又、前記の引っ掛けクランプを一対用い、その押え部３の先端３ａを連続３ａｃし、この連続部３ａｃをもってベタ掛け資材２０を押える構造としたものもある。更に、一本の支柱に対し二つの横桟部及び押え部を形成した例もある。これらは棒状体を折り曲げたり、溶接したりして製造することが可能である。更に又、例えば球状の（或いはきのこ状の）キャップ３ｂを先端３ａに嵌め込むことも可能である。
【産業上の利用可能性】
【００２１】
本発明の引っ掛けクランプは農業資材に穴を開けることなく固定でき、しかもその固定が確実であって、資材そのものも再利用が可能となったものである。従って、各種の農業資材を固定する部材として利用可能であって、芝等の植生等にも利用可能であり、その応用範囲は極めて広範である。
【図面の簡単な説明】
【００２２】
【図１】図１は本発明の引っ掛けクランプの斜視図である。
【図２】図２は本発明の引っ掛けクランプの使用時の状態を示す平面図である。
【図３】図３は図２における縦断面図である。
【図４】図４は本発明の変形例１を示す図である。
【図５】図５は本発明の変形例２を示す図である。
【図６】図６は本発明の変形例３を示す図である。
【図７】図７は従来の固定部材の斜視図である。
【符号の説明】
【００２３】
Ａ、Ｂ‥引っ掛けクランプ、
１‥支柱部、
１ａ‥支柱部のジグザグ状部、
１ｂ‥支柱部の窪み、
１ｃａ、１ｃｂ‥支柱部の凹凸部、
２‥横桟部、
２ａａ、２ａｂ‥横桟部の湾曲部、
２ａｃ‥横桟部の環状部、
３‥押え部、
３ａ‥押え部の先端、
３ａａ‥押え部の先端の環状部、
３ａｂ‥押え部の先端の平坦部、
３ａｃ‥押え部の先端の連続部、
３ｂ‥キャップ、
１０‥土壌、
１１‥畝、
２０‥塩ビ製のベタ掛け資材、
２０ａ‥ベタ掛け資材の幅端部、
２０ｂ‥ベタ掛け資材の押え部、
２０ｃ‥ベタ掛け資材の幅端の余り部。
【図１】
2006230319.tif 000003
【図２】
2006230319.tif 000004
【図３】
2006230319.tif 000005
【図４】
2006230319.tif 000006
【図５】
2006230319.tif 000007
【図６】
2006230319.tif 000008
【図７】
2006230319.tif 000009